(57)【要約】【課題】複数台の印刷装置から１枚の記録媒体に印刷を行う場合に、印刷ジョブ毎のインク使用量合計を印刷前に容易にユーザが認識することができるインク使用量表示方法およびインク使用量表示プログラムを提供する。【解決手段】情報処理装置（ＰＣ）１００は、印刷システム２００の複数の印刷装置２０１〜２０６を用いて１枚の記録媒体Ｐに印刷を行う。情報処理装置１００は、複数の印刷装置２０１〜２０６に対する印刷対象の画像データに基づいて印刷データを作成し、記憶部内に登録する。さらに、この登録された印刷データに基づいて全印刷装置２０１〜２０６でのインク使用量合計（色別または全色）を算出し、ユーザの指示に応じて、情報処理装置１００の表示部において当該インク使用量合計を表示する。【選択図】図１
2007125863.tif 000002
【特許請求の範囲】
【請求項１】
複数の印刷装置を用いて１枚の記録媒体に印刷を行う印刷システムに対して通信インタフェースを経由して印刷の指示を行う情報処理装置において、インク使用量を求めて表示するインク使用量表示方法であって、
前記複数の印刷装置に対する印刷対象の画像データに基づいて印刷データを作成するステップと、
作成された印刷データを記憶部内に登録するステップと、
前記登録された印刷データに基づいて全印刷装置でのインク使用量合計を算出するステップと、
前記情報処理装置の表示部において当該インク使用量合計を表示するステップと
を備えたことを特徴とするインク使用量表示方法。
【請求項２】
各印刷装置は複数のカラーのインクを用いるカラー印刷装置であり、
前記全印刷装置でのインク使用量合計は異なる色のインク毎に算出され、表示されることを特徴とする請求項１記載のインク使用量表示方法。
【請求項３】
前記印刷データを作成するステップにおいて、入力画像の各インク色ごとにドット数をカウントすることを特徴とする請求項２記載のインク使用量表示方法。
【請求項４】
前記印刷データを登録するステップにおいて、入力画像の各インク色ごとにドット数をカウントした結果を印刷データと共に前記情報処理装置の記憶部内に保存することを特徴とする請求項３記載のインク使用量表示方法。
【請求項５】
前記インク使用量合計を表示するステップでは、入力画像の各インク色ごとにドット数をカウントした結果をインク使用量に変換して前記情報処理装置上に表示することを特徴とする請求項３または４記載のインク使用量表示方法。
【請求項６】
前記各インク色ごとにドット数をカウントした結果は、記憶部上に複数保存が可能であることを特徴とする請求項４記載のインク使用量表示方法。
【請求項７】
複数の印刷装置を用いて１枚の記録媒体に印刷を行う印刷システムに対して通信インタフェースを経由して印刷の指示を行う情報処理装置において実行される、インク使用量を求めて表示するインク使用量表示プログラムであって、
前記複数の印刷装置に対する印刷対象の画像データに基づいて印刷データを作成するステップと、
作成された印刷データを記憶部内に登録するステップと、
前記登録された印刷データに基づいて全印刷装置でのインク使用量合計を算出するステップと、
前記情報処理装置の表示部において当該インク使用量合計を表示するステップと
をコンピュータに実行させるインク使用量表示プログラム。
【発明の詳細な説明】
【技術分野】
【０００１】
本発明は、複数の印刷装置を使用して１枚の記録媒体に印刷を行う印刷システムに関し、特に複数印刷装置と通信可能な情報処理装置上で、印刷する画像のインク使用量を印刷前に表示する方法およびプログラムに関するものである。
【背景技術】
【０００２】
現在、カラー記録の容易性、高速性、静粛性等の利点から、プリンタ、複写機、ファクシミリ等の画像形成装置では記録媒体に対してインク滴を吐出して画像を形成するインクジェット記録方式を採用したものが広く普及している。
【０００３】
このようなインクジェット方式の印刷装置において、ある印刷ジョブについてその実行前に当該印刷ジョブに必要なインク使用量を認識するために、印刷装置側で、入力画像データを展開した印画データに基づいて印画ドット数をカウントする技術が提案されている（特許文献１参照）。このカウント値に基づいて演算された総インク使用量は印刷装置において表示や音声等によりユーザに報知されるようになっている。
【特許文献１】特開平８−９０７６７号公報
【発明の開示】
【発明が解決しようとする課題】
【０００４】
ところで、業務用の印刷システムでは、一定幅のラインヘッドを有する印刷装置を許容最大数内の任意の個数、組み合わせて利用することにより、所望の記録幅に対応できるものが検討されている。
【０００５】
このような印刷システムにおいては、印刷ジョブの実行前に、各印刷装置におけるインク使用量だけでなく、すべての印刷装置でのインクの総使用量、色別の使用量等を認識できることが望ましい。
【０００６】
しかしながら、上述した特許文献１に記載の従来技術では、個々の印刷装置において個別にインク使用量が求められるため、複数の印刷装置での全色または各色の総インク使用量（すなわち１枚の記録媒体の印刷に要するインク使用量合計）が分からないという問題がある。また、使用量の報知は印刷装置側で行われるので、印刷を指示するパーソナルコンピュータ（ＰＣ）などの情報処理装置が印刷装置と離れている場合には、いちいち印刷装置の設置場所へ出向いていかなければ、使用量が確認できないという問題もあった。
【０００７】
本発明はこのような背景においてなされたものであり、その目的は、複数台の印刷装置から１枚の記録媒体に印刷を行う場合に、印刷ジョブ毎のインク使用量合計を印刷前に容易にユーザが認識することができるインク使用量表示方法およびインク使用量表示プログラムを提供することにある。
【０００８】
本発明はまた、印刷装置の設置場所に出向くことなく印刷ジョブ毎のインク使用量をユーザが認識することができるインク使用量表示方法およびインク使用量表示プログラムを提供することにある。
【課題を解決するための手段】
【０００９】
本発明によるインク使用量表示方法は、複数の印刷装置を用いて１枚の記録媒体に印刷を行う印刷システムに対して通信インタフェースを経由して印刷の指示を行う情報処理装置において、インク使用量を求めて表示するインク使用量表示方法であって、前記複数の印刷装置に対する印刷対象の画像データに基づいて印刷データを作成するステップと、作成された印刷データを記憶部内に登録するステップと、前記登録された印刷データに基づいて全印刷装置でのインク使用量合計を算出するステップと、前記情報処理装置の表示部において当該インク使用量合計を表示するステップとを備えたことを特徴とする。
【００１０】
本発明では、情報処理装置において、印刷データを生成し、登録し、この登録された印刷データに基づいて全印刷装置でのインク使用量合計を算出し、表示する。したがって、印刷データが複数の印刷装置に対するものであっても、印刷指示が行われる前に、情報処理装置において一つの印刷データに対して一括して複数の印刷装置におけるインク使用量を積算してインク使用量合計を算出し、表示することができる。
【００１１】
各印刷装置は複数のカラーのインクを用いるカラー印刷装置である場合、前記全印刷装置でのインク使用量合計は異なる色のインク毎に算出され、表示されるようにすることもできる。
【００１２】
情報処理装置内で前記印刷データを作成するステップにおいて、入力画像の各インク色ごとにドット数をカウントすることにより、各インク色毎のインク使用量の基礎データを得ることができる。この基礎データからインク使用量を求めることができる。
【００１３】
前記印刷データを登録するステップにおいて、入力画像の各インク色ごとにドット数をカウントした結果を印刷データと共に前記情報処理装置の記憶部内に保存することにより、印刷前であっても、各印刷データについて必要なインク使用量を認識することが可能となる。
【００１４】
前記各インク色ごとにドット数をカウントした結果は、記憶部上に複数保存が可能であり、各印刷データについて必要なインク使用量を比較することができる。
【００１５】
本発明は、また、情報処理装置において、上記のインク使用量表示方法を実現するインク使用量表示プログラム、あるいは、このプログラムを読み出し可能に格納した記録媒体（フレキシブルディスク、磁気ディスク、ＣＤ−ＲＯＭ、ＤＶＤ−ＲＯＭ、半導体メモリ等）として把握することも可能である。
【発明の効果】
【００１６】
本発明によれば、複数の印刷装置を用いて１枚の記録媒体に印刷を行う印刷システムに対して通信インタフェースを経由して印刷の指示を行う情報処理装置において、ユーザは、特定の印刷物について、複数の印刷装置のすべてについてのインク使用量合計を印刷前に確認することが可能となる。
【００１７】
また、個々の印刷データとインク使用量とを併せて登録しておくことで、印刷ジョブ毎のインク使用量を相互に比較することもできる。
【００１８】
さらに、インク使用量は情報処理装置側で確認することができるので、印刷装置の設置場所に出向くことなく印刷ジョブ毎のインク使用量をユーザが認識することができる。
【発明を実施するための最良の形態】
【００１９】
以下、本発明の実施の形態を図面を参照して詳細に説明する。
【００２０】
図１は本実施の形態に係る印刷システム２００の概略構成を、情報処理装置であるＰＣ１００とともに示したものである。この印刷システム２００は複数（ここでは６台）の印刷装置２０１〜２０６がそれぞれ個別の通信インタフェース２０１ａ〜２０６ａ（例えばＵＳＢ：Universal Serial Bus）を介してＰＣ１００と接続してある。通信インターフェースとしては、ネットワークケーブル、ＵＳＢ（Universal Serial Bus）ケーブル、無線ＬＡＮ等を採用することができる。ＰＣ１００は、印刷対象の画像データを分割して印刷データとして印刷装置２０１〜２０６に送る。
【００２１】
記録媒体Ｐは、媒体搬送装置（図３）によって図１中の矢印方向に搬送され、印刷装置２０１〜２０６は、その記録媒体Ｐの幅方向に並ぶように配置され、記録媒体Ｐの幅方向における異なる領域（幅部分）の記録を分担して行うよう構成されている。すなわち、印刷装置２０１〜２０６は、共同して一つの画像を形成する印刷システムを構成している。記録媒体の幅方向に並べる際には、必ずしも一直線状に並べる必要はなく、隣接する記録ヘッドの端部の数ドットが相互に重なるように千鳥状に配置してもよい。端部のどのノズルまでを有効にするかは予め定めておくことにより、隣接する記録ヘッドの境界において画像に空白が生じないように制御することができる。
【００２２】
本実施の形態における印刷装置２０１〜２０６の各々は、独立したエンジンであるプリンタユニット（「印刷装置」）を構成し、記録媒体Ｐの幅方向にノズル列が延在するインクジェット記録ヘッドを備えており、ＰＣ１００から受信する画像データに基づいて、インクジェット記録ヘッドからインクを吐出する。この例では、フルカラーの画像を記録すべく、イエロー（Ｙ）、マゼンタ（Ｍ）、シアン（Ｃ）、およびブラック（Ｋ）のインクを吐出するための４つのインクジェット記録ヘッドを備えている。
【００２３】
このように複数の独立した印刷装置を用いることにより、１個の印刷装置の記録幅を単位記録幅（例えば４インチ）として、利用する印刷装置の個数を変えて、種々の用紙幅に対応した印刷システムを構成できる。また、個々の印刷装置の故障や不具合が発生したときには、当該印刷装置のみを交換することができる。そのため、システム全体が大きくなってもメンテナンスコストが比較的に軽減される。このような印刷システムは業務用の用途に適している。
【００２４】
図２は図１に示したＰＣ１００の内部構成例を示している。ＰＣ１００は、本実施の形態では、オペレーティングシステムの制御下において、画像データを生成するアプリケーション（プログラム）や印刷制御プログラム（プリンタドライバ）等を実行する。本例においては、オペレーティングシステムとして「Windowｓ（登録商標）」を用いる。具体的には、ＰＣ１００は、ＰＣ１００の各種制御を行う制御部を構成するＣＰＵ（Central Processing Unit）１０２と、このＣＰＵ１０２用の作業領域および一時記憶領域を提供するメモリであるＲＡＭ（Random Access Memory）１０３と、ＣＰＵ１０２が初期的に実行するブートプログラム等を格納する不揮発性メモリであるＲＯＭ（Read Only Memory）１０４とはシステムバス１０９を介して相互に接続されている。表示装置であるディスプレイ１１０はビデオインタフェース１０８を介してシステムバス１０９に接続されている。ポインティングデバイスの一種であるマウス１１１は、マウスインタフェース１０５を介してシステムバス１０９に接続されている。オペレーティングシステムや各種プログラムが格納されている大容量の外部記憶装置であるハードディスク装置１１３は、ハードディスクインタフェース１０７を介してシステムバス１０９に接続されている。また、システムバス１０９はプリンタインタフェース１０１（上述した２０１ａ〜２０６ａに対応）を介して印刷装置２０１〜２０６に接続される。
【００２５】
ＰＣ１００において、印刷システム２００を制御する場合は、ハードディスク装置１１３に格納されているプログラムがＲＡＭ１０３にロードされてＣＰＵ１０２によって実行される。
【００２６】
図３に、図１の印刷システム２００の一部である印刷装置２０１の構成例を示す。また、ＰＣ１００と媒体搬送装置２１８とを併せて示す。印刷装置２０２〜２０６の各々の構成は印刷装置２０１と同じである。
【００２７】
ＣＰＵ２１０はこの印刷装置２０１の全体の動作を制御する制御部を構成し、バスを介してメモリコントローラ２１２、インタフェースコントローラ２１３、プログラムＲＯＭ２１４、ワークＲＡＭ２１５、ＥＥＰＲＯＭ２１６、記録ヘッド制御回路２１９、Ｉ／Ｏポート２２１と接続されている。
【００２８】
メモリコントローラ２１２は、印刷データを格納するメモリであるＶＲＡＭ２１１に接続され、ＣＰＵ２１０の制御下でＶＲＡＭ２１１への印刷データの書き込みを行うとともに、同期化回路２１７からの出力信号に同期してＶＲＡＭ２１１からの読み出しを行う。同期化回路２１７は、媒体搬送装置２１８での記録媒体の搬送状態に同期してメモリコントローラ２１２への信号を生成する機能を有する。媒体搬送装置２１８は記録媒体の最大幅に対応したものを全印刷装置で共有するか、あるいは、個々の印刷装置の搬送装置を連動して動作するよう構成する。
【００２９】
インタフェースコントローラ２１３は、ＣＰＵ２１０の制御下で、ＰＣ１００と通信インタフェース（図ではＵＳＢの例）を介してデータ通信を行う部位である。
【００３０】
プログラムＲＯＭ２１４は、この印刷装置２０１の動作を実現するためのコンピュータプログラムを格納した不揮発性のメモリである。ワークＲＡＭ２１５は、ＣＰＵ２１０により利用されるワーク領域やデータの一時記憶領域を提供する読み書き可能なメモリである。ＥＥＰＲＰＭ２１６は、再書き込み可能な不揮発性のメモリであり、例えばユーザの設定データなどを不揮発的に記録するために利用される。
【００３１】
記録ヘッド制御回路２１９は、ＣＰＵ２１０の制御下で、メモリコントローラ２１２からの印刷データを受信し、ＣＭＹＫの各色の記録ヘッド２２０へ対応する印刷データを転送する。
【００３２】
Ｉ／Ｏポート２２１は、ＣＰＵ２１０の制御下で、モータ駆動部２２２に制御信号を与えて、キャッピングモータ２２３やポンプモータ２２４のような外部の出力装置を制御する。キャッピングモータ２２３は、不使用時に記録ヘッド２２０にキャップをしてインクの乾燥を防ぐための機構を駆動する動力源である。ポンプモータ２２４は記録ヘッド中のインクに圧力を掛けて記録ヘッドの回復動作等を行うための動力源である。
【００３３】
図４は、本実施の形態において印刷システムの利用に関連したＰＣ内アプリケーション３００の動作を説明するための図である。このアプリケーション３００はＰＣ１００上でユーザによりメニュー選択等の操作により起動される。
【００３４】
以下、起動後の画面、処理の流れなど詳細について説明する。
【００３５】
本実施の形態におけるアプリケーション３００は、運転画面３１０と印刷データ登録画面３２０とメンテナンス画面３３０の３つの画面を有し、これらの画面の一つがアクティブな画面としてユーザにより選択される。
【００３６】
「運転」画面３３０は、アプリケーション起動直後に表示される画面であり、主に登録されている印刷データを分割し、各印刷装置に転送する処理と、各印刷装置からステータスを取得して表示する処理とを行う。印刷データは、複数の印刷装置に対して、それぞれが担当する画像部分を分割して転送する。印刷装置に転送する印刷データには、印刷装置に対する命令および画像（ＣＭＹＫ）データを記述している。印刷装置は受信した印刷データを解凍し、データの中身を解読して動作する。
【００３７】
「印刷データ登録」画面３２０は、ＲＧＢからＣＭＹＫへの画像データの形式の変換、およびＣＭＹＫから印刷データへの変換、および印刷データの圧縮を行い、記憶部３４０（例えば図２のハードディスク装置１１３）に印刷データを登録する処理を行う。印刷データの圧縮方式としては例えば"ＰａｃｋＢｉｔｓ"という符号化が用いられる。
【００３８】
「メンテナンス」画面３３０は、各印刷装置にメンテナンスを行う命令を送る処理を行う。メンテナンスは記録ヘッドのクリーニング処理等を含む。
【００３９】
図５は、ＰＣ内アプリケーション内での本発明に関連する部分の処理を示している。ＲＧＢデータから変換されたＣＭＹＫデータに基づいて印刷データを作成する際に、ドット数をカウントする。この処理は図７のフローチャートで後述する。また、印刷データを記憶部３４０に登録するとともに、そのドット数も登録する。この処理は図８のフローチャートで後述する。さらに、ＰＣ１００のモニタ（表示部）１０１において、登録された印刷データの表示の際に、インク使用量の表示を行うことができる。この処理は図９のフローチャートで後述する。
【００４０】
図６に、ＰＣ１００のモニタ３０１における上述したアプリケーション３００の表示画面例を示す。表示画面４００には、図４で上述した運転画面３１０と印刷データ登録画面３２０とメンテナンス画面３３０の３つの画面に対応するタブ４１０，４２０，４３０、および、アプリケーションを終了するための「終了」ボタン４４０が用意されている。運転画面３１０と印刷データ登録画面３２０とメンテナンス画面３３０の各機能については上述したとおりである。図６の例は、主に、印刷データを作成、保存する処理を行う印刷データ登録画面がアクティブになった状態を示している。
【００４１】
画面４００の右下の「登録」「変更」「削除」「バックアップ／リストア」ボタンはそれぞれ次のような機能を有する。「登録」ボタン４５１は、印刷データの作成、保存を指示するためのボタンである。「変更」ボタン４５２は、保存してある印刷データの中からユーザが変更したいデータを選択し、変更して、印刷データを再作成するためのボタンである。「削除」ボタン４５３は、保存してある印刷データの中からユーザが削除したいデータを選択して、削除するためのボタンである。「バックアップ／リストア」ボタン４５４は、保存してある印刷データを、他の場所にバックアップしたり、他の場所にバックアップしたデータをリストアするためのボタンである。
【００４２】
画面４００の一覧リスト表示欄４１２には、登録された印刷データの一覧リストａ（図の例では印刷データは１件のみ登録されている）が表示されるようになっている。さらに、登録された印刷データの印刷に必要なインク使用量の表示が例えば開かれたウィンドウ内に行われる。
【００４３】
「印刷データ一覧」中の１件の印刷データについては、「受注番号」「商品名」「商品名（コード）」「客先名」「シート寸法」「フルート」「印刷面材質」の各項目が表示されるようになっている。「受注番号」「商品名」などの付属情報は印刷データをユーザ（例えば段ボール印刷会社）が識別する為の情報であり、印刷データの作成の際、ユーザにより入力され、印刷データと共に情報を保存される。ユーザは印刷を行う際、運転画面において、印刷データ一覧リストの情報を見てどの印刷を行うか選択する。
【００４４】
画面４００の右側の表示欄４４４には、一覧リストａから選択された印刷データの印刷イメージ（サムネイル：縮小画像）が表示され、その内容が認識できるようになっている。
【００４５】
図７は、印刷データ作成の際に使用される入力画像のＣＭＹＫデータについて各色ごとにドット数をカウントする処理を表すフローチャートである。
【００４６】
４色分の各色について（Ｓ１１〜Ｓ２１）、ＣＭＹＫデータの各単位高さ分について（Ｓ１２〜Ｓ２０）、さらにＣＭＹＫデータの単位幅分について（Ｓ１３〜Ｓ１９）、ＣＭＹＫ各色のデータを１バイトずつ取り出し（Ｓ１４）、各ビット毎に（Ｓ１５〜Ｓ１８）、ビットの状態を確認する（Ｓ１６）。ビットがＯＮの場合、ドット数をカウントアップし、メモリに保存する（Ｓ１７）。ドット数を保存するメモリの領域は、「全ての印刷装置（図１の２０１〜２０６）の幅×ＣＭＹＫ４色」のサイズ分用意する。すなわち、各印刷装置毎に各色についてのインク使用量が得られる。
【００４７】
図８は、印刷データを登録する処理の中で行われるドット数登録処理のフローチャートである。入力画像のＣＭＹＫデータについて各色ごとに（Ｓ３１〜Ｓ３５）、１台の印刷装置の幅分毎に（Ｓ３２〜Ｓ３４）、ドット数を積算（合計）する（Ｓ３３）。この積算した結果を印刷データと共に情報処理装置の記憶部（ハードディスク装置またはメモリ等）上に保存する（Ｓ３６）。これにより印刷システム全体（全印刷装置分）の各色毎の使用インク合計、および全色の使用インク合計が登録される。
【００４８】
図９は、上記一覧リストにおいて指定された印刷データのインク使用量を表示する処理を表したフローチャートである。
【００４９】
ＣＭＹＫ各色について（Ｓ４１〜Ｓ４６）、ドット数合計を取得し（Ｓ４２）、このドット数合計に１ドット当たりのインク使用量（単位：ｃｃ）の値を掛けてインク使用量を求める（Ｓ４３）。求めたＣＭＹＫ各色のインク使用量は印刷データの一覧リスト表示欄４１２（図６）に表示する（Ｓ４４）。さらに、求めたＣＭＹＫ各色のインク使用量の合計を合計（Ｓ４５）したものについても表示する（Ｓ４７）。
【００５０】
インク使用量の表示のために、ユーザは、例えば、マウス操作により、印刷データ一覧リスト上の任意の印刷データを選択して右クリックすると、ポップアップメニュー（図示せず）が表示され、そのメニュー内の「インク使用量」という項目を選択すると、表示画面上に例えば図１０に示すようなウィンドウ画面５００が開き、このウィンドウ画面５００上に印刷システム全体の各色毎、およびＣＭＹＫ合計のインク使用量が表示される。勿論、ユーザによる指示に応じて、指定された印刷データについて、各印刷装置毎の同様のインク使用量の表示を行うようにしてもよい。
【００５１】
このように、印刷ジョブ毎のインク使用量の確認は、例えば印刷会社が、印刷データ一覧リストの情報と、インク使用量を参照して、客先別に多く使われているインクを調査するなどの用途に利用できる。このような調査結果は、例えばコスト計算などに利用可能である。
【００５２】
以上、本発明の好適な実施の形態について説明したが、上記で言及した以外にも種々の変形、変更を行うことが可能である。例えば、１台の印刷装置で用いる記録ヘッドの個数は４個としたが、これより少なくても多くてもよい。
【図面の簡単な説明】
【００５３】
【図１】本発明の実施の形態に係る印刷システムの概略構成を、情報処理装置であるＰＣとともに示した図である。
【図２】図１に示したＰＣの内部構成例を示す図である。
【図３】図１の印刷システムの一部である印刷装置の構成例を示す図である。
【図４】本発明の実施の形態において印刷システムの利用に関連したＰＣ内アプリケーションの動作を説明するための図である。
【図５】ＰＣ内アプリケーション内での本発明に関連する部分の処理を示す図である。
【図６】本発明の実施の形態におけるＰＣのモニタにおけるアプリケーションの表示画面例を示す図である。
【図７】本発明の実施の形態における印刷データ作成の際に使用される入力画像のＣＭＹＫデータについて各色ごとにドット数をカウントする処理を表すフローチャートである。
【図８】印刷データを登録する処理の中で行われるドット数登録処理のフローチャートである。
【図９】図６内に示した一覧リストにおいて指定された印刷データのインク使用量を表示する処理を表したフローチャートである。
【図１０】本発明の実施の形態におけるインク使用量を表示するウィンドウ画面の一例を示す図である。
【符号の説明】
【００５４】
１０９…システムバス
１１０…ディスプレイ
１１１…マウス
１１３…ハードディスク装置
２００…印刷システム
２０１〜２０６…印刷装置
２０１ａ〜２０６ａ…通信インタフェース
２１２…メモリコントローラ
２１３…インタフェースコントローラ
２１５…ワークＲＡＭ
２１４…プログラムＲＯＭ
２１７…同期化回路
２１８…媒体搬送装置
２１９…記録ヘッド制御回路
２２０…記録ヘッド
２２１…Ｉ／Ｏポート
２２２…モータ駆動部
２２３…キャッピングモータ
２２４…ポンプモータ
３００…ＰＣ内アプリケーション
３０１…モニタ
３１０…運転画面
３２０…印刷データ登録画面
３３０…メンテナンス画面
３４０…記憶装置
４００…表示画面
４１２…一覧リスト表示欄
４４０…「終了」ボタン
４４４…表示欄
４５１〜４５４…ボタン
５００…ウィンドウ画面
４１０，４２０，４３０…タブ
Ｐ…記録媒体
【図１】
2007125863.tif 000003
【図２】
2007125863.tif 000004
【図３】
2007125863.tif 000005
【図４】
2007125863.tif 000006
【図５】
2007125863.tif 000007
【図７】
2007125863.tif 000008
【図８】
2007125863.tif 000009
【図９】
2007125863.tif 000010
【図１０】
2007125863.tif 000011
【図６】
2007125863.tif 000012